【手続補正書】
【提出日】平成26年5月23日(2014.5.23)
【手続補正１】
【補正対象書類名】特許請求の範囲
【補正対象項目名】全文
【補正方法】変更
【補正の内容】
【特許請求の範囲】
【請求項１】
被写体像を光電変換し画像データを出力する撮像部と、
上記撮像部から出力された画像データに基づいて上記被写体像を表示する表示部と、
上記表示部の表示画面へのタッチを検出するタッチパネルと、
上記画像データに基づいて被写体の動きを検出する動き検出部と、
上記動き検出部によって検出された被写体の動きの履歴を記憶するメモリと、
上記タッチパネルへのタッチ操作と、上記メモリに記憶された被写体の動きの履歴に基づいて、撮影レンズのピント合わせの対象とする被写体を決定する決定部と、
上記決定部によって決定された被写体に対してピント合わせを行う自動焦点調節部と、
を有することを特徴とする撮影機器。
【請求項２】
上記タッチパネルは、複数のエリアに分割されており、
上記決定部は、タッチ操作の一定時間前にタッチされたエリア内にいた被写体を上記ピント合わせの対象とする、
ことを特徴とする請求項１に記載の撮影機器。
【請求項３】
上記タッチパネルは、複数のエリアに分割されており、
上記決定部は、タッチしたエリアに、一定時間前から現在までいた被写体をピント合わせの対象とする、
ことを特徴とする請求項１に記載の撮影機器。
【請求項４】
上記タッチパネルは、複数のエリアに分割されており、
上記決定部は、タッチしたエリアに、一定時間前まで存在していた被写体をピント合わせの対象とする、
ことを特徴とする請求項１に記載の撮影機器。
【請求項５】
上記タッチパネルは、複数のエリアに分割されており、
上記決定部は、タッチしたエリアに、ある一定時間の間で一番長くいた被写体をピント合わせの対象とする、
ことを特徴とする請求項１に記載の撮影機器。
【請求項６】
上記決定部は、タッチした２点を対角とした矩形内で移動する被写体に対してピント合わせの対象とすることを特徴とする請求項１に記載の撮影機器。
【請求項７】
上記決定部は、上記タッチパネルをスライド操作した際に、スライド操作の終点におけるエリアに存在する被写体に対してピント合わせの対象とすることを特徴とする請求項１に記載の撮影機器。
【請求項８】
上記決定部は、上記タッチ操作が、第３の一定時間以上の間、持続した場合には、タッチされたエリアをピント合わせの対象とすることを特徴とする請求項１に記載の撮影機器。
【請求項９】
被写体像を光電変換し画像データを出力する撮像部と、
上記撮像部から出力された画像データに基づいて上記被写体像を表示する表示部と、
上記表示部の表示画面へのタッチが、複数に分割されたエリアのいずれであるかを検出するタッチパネルと、
上記撮像部の撮像面を上記エリアに対応するように複数のエリアに分割し、上記画像データに基づいて被写体の動きをエリア毎に検出する動き検出部と、
上記動き検出部によって検出された被写体の動きの履歴を上記エリア毎に記憶するメモリと、
上記タッチパネルへのタッチ操作の一定時間前からの被写体の動きを上記メモリに記憶された被写体の動きの履歴に基づいて判定し、この判定結果に基づいて撮影レンズのピント合わせの対象とするＡＦエリアを決定する決定部と、
上記決定部によって決定されたエリアに対してピント合わせを行う自動焦点調節部と、
を有することを特徴とする撮影機器。
【請求項１０】
上記決定部は、上記一定時間前から上記エリア内の被写体が静止していた場合には、上記タッチ操作されたタッチエリアを上記ＡＦエリアとして決定し、上記一定時間前から上記エリア内にいた被写体が動いた場合には、その被写体を追尾して上記ＡＦエリアを決定することを特徴とする請求項９に記載の撮影機器。
【請求項１１】
被写体像を画像データに変換する撮像部と、タッチ操作を検出可能な表示部を有する撮影機器における制御方法において、
上記撮像部からの上記画像データに基づいて被写体の動きを検出し、被写体の動きの履歴を記憶する記憶ステップと、
上記タッチ操作がなされたか否かを検出する検出ステップと、
上記検出ステップにおいて、上記タッチ操作がなされたことを検出した場合には、タッチ前、一定時間の間、上記タッチ操作されたエリアの被写体が静止していたかを上記記憶ステップにおいて記憶された被写体の動きの履歴に基づいて判定する判定ステップと、
上記判定ステップにおける判定の結果、静止していなかった場合には、上記タッチ操作されたエリアに直前までいた被写体を追尾する追尾ステップと、
上記追尾ステップにおいて追尾した被写体が存在するエリアに対して合焦しレリーズする撮影ステップと、
を有することを特徴とする撮影機器の制御方法。
【手続補正２】
【補正対象書類名】明細書
【補正対象項目名】０００６
【補正方法】変更
【補正の内容】
【０００６】
上記目的を達成するため第１の発明に係わる撮影機器は、被写体像を光電変換し画像データを出力する撮像部と、上記撮像部から出力された画像データに基づいて上記被写体像を表示する表示部と、上記表示部の表示画面へのタッチを検出するタッチパネルと、上記画像データに基づいて被写体の動きを検出する動き検出部と、上記動き検出部によって検出された被写体の動きの履歴を記憶するメモリと、上記タッチパネルへのタッチ操作と、上記メモリに記憶された被写体の動きの履歴に基づいて、撮影レンズのピント合わせの対象とする被写体を決定する決定部と、上記決定部によって決定された被写体に対してピント合わせを行う自動焦点調節部と、を有する。
【手続補正３】
【補正対象書類名】明細書
【補正対象項目名】００１０
【補正方法】変更
【補正の内容】
【００１０】
第９の発明に係わる撮影機器は、被写体像を光電変換し画像データを出力する撮像部と、上記撮像部から出力された画像データに基づいて上記被写体像を表示する表示部と、上記表示部の表示画面へのタッチが、複数に分割されたエリアのいずれであるかを検出するタッチパネルと、上記撮像部の撮像面を上記エリアに対応するように複数のエリアに分割し、上記画像データに基づいて被写体の動きをエリア毎に検出する動き検出部と、上記動き検出部によって検出された被写体の動きの履歴を上記エリア毎に記憶するメモリと、上記タッチパネルへのタッチ操作の一定時間前からの被写体の動きを上記メモリに記憶された被写体の動きの履歴に基づいて判定し、この判定結果に基づいて撮影レンズのピント合わせの対象とするＡＦエリアを決定する決定部と、上記決定部によって決定されたエリアに対してピント合わせを行う自動焦点調節部と、を有する。
【手続補正４】
【補正対象書類名】明細書
【補正対象項目名】００１２
【補正方法】変更
【補正の内容】
【００１２】
第１１の発明に係わる撮影機器の制御方法は、被写体像を画像データに変換する撮像部と、タッチ操作を検出可能な表示部を有する撮影機器における制御方法において、上記撮像部からの上記画像データに基づいて被写体の動きを検出し、被写体の動きの履歴を記憶する記憶ステップと、上記タッチ操作がなされたか否かを検出する検出ステップと、上記検出ステップにおいて、上記タッチ操作がなされたことを検出した場合には、タッチ前、一定時間の間、上記タッチ操作されたエリアの被写体が静止していたかを上記記憶ステップにおいて記憶された被写体の動きの履歴に基づいて判定する判定ステップと、上記判定ステップにおける判定の結果、静止していなかった場合には、上記タッチ操作されたエリアに直前までいた被写体を追尾する追尾ステップと、上記追尾ステップにおいて追尾した被写体が存在するエリアに対して合焦しレリーズする撮影ステップと、を有する。